(57)【要約】【課題】  ヨモギを始めとする薬草の種々の効能を効果的かつ永続的に得ることができる薬草入りマットを提供すること。【解決手段】  遠赤外線を放射し得る遠赤外線繊維を用いて成る基体８と、この基体８に付着若しくは含有される薬草１とから成る薬効体。【選択図】      図４
2005230517.tif 000002
【特許請求の範囲】
【請求項１】
遠赤外線を放射し得る遠赤外線繊維を用いて成る基体と、この基体に付着若しくは含有される薬草とから成ることを特徴とする薬効体。
【請求項２】
前記基体は、綿，布若しくはフェルトであることを特徴とする請求項１記載の薬効体。
【請求項３】
前記薬草は、薬草から抽出した薬草エキスであることを特徴とする請求項１，２のいずれか１項に記載の薬効体。
【請求項４】
前記薬草として、ヨモギを採用したことを特徴とする請求項１〜３のいずれか１項に記載の薬効体。
【請求項５】
敷布団に載置するマットにおいて、薬草を収容した通気性内袋の底面若しくは薬草の薬効成分を有する薬効体の底面には熱伝導性良好な材料で形成された熱伝導性布を設け、前記通気性内袋若しくは薬効体及び前記熱伝導性布とを通気性敷設体に収容し、この通気性敷設体の底面に熱源となる加熱部を設けて、前記加熱部の熱が前記通気性敷設体を介して前記熱伝導性布に伝わり、この熱伝導性布から前記通気性内袋を介して前記薬草若しくは前記熱伝導性布から前記薬効体に伝わるように構成したことを特徴とする薬草入りマット。
【請求項６】
前記薬効体は、遠赤外線繊維を用いて成る綿，布若しくはフェルトに前記薬草から抽出した薬草エキスを付着若しくは含有させて成ることを特徴とする請求項５記載の薬草入りマット。
【請求項７】
前記薬草としてヨモギを採用したことを特徴とする請求項５，６のいずれか１項に記載の薬草入りマット。
【請求項８】
前記熱伝導性布は、導線を繊維に縒りあわせる若しくは導線を繊維に巻回することにより成る金属糸を用いることにより形成することを特徴とする請求項５〜７のいずれか１項に記載の薬草入りマット。
【請求項９】
前記通気性敷設体は、前記通気性内袋若しくは前記薬効体及び前記熱伝導性布を出し入れするための開口部を設け、且つ前記通気性敷設体と加熱部とを着脱自在に構成したことを特徴とする請求項５〜８のいずれか１項に記載の薬草入りマット。
【発明の詳細な説明】
【技術分野】
【０００１】
本発明は、薬草の薬効成分を蒸散し得る薬効体並びに薬草入りマットに関するものである。
【背景技術】
【０００２】
従来、ヨモギは、このヨモギに含有されるシネオール，アルファーツヨン，セスキテルペン，クロロフィルなどの薬効成分の作用により、疲労回復、血行促進、筋肉のコリや疲れの緩和、神経痛，筋肉痛，腰痛，関節痛の緩和、殺菌，抗菌、炎症抑制、鎮静等の様々な効能が得られる薬草として知られており、この様々な効能を有するヨモギを例えば特許文献１のように乾燥させて布団に封入し、前記効能を人体に与える手段が提案されている。
【０００３】
【特許文献１】特開平４−２６１６０７号公報
【発明の開示】
【発明が解決しようとする課題】
【０００４】
しかしながら、上述の特許文献１のように単にヨモギを乾燥させて布団に封入する方法では、ヨモギの薬効成分を十分に得ることが困難で、また、封入したヨモギを取り出して新しいものと取り替えたり、布団を洗ったりすることが困難であった。
【０００５】
本発明は、ヨモギを始めとする薬草の種々の効能を効果的かつ永続的に得られる薬効体並びに薬草入りマットを提供するものである。
【課題を解決するための手段】
【０００６】
添付図面を参照して本発明の要旨を説明する。
【０００７】
遠赤外線を放射し得る遠赤外線繊維を用いて成る基体８と、この基体８に付着若しくは含有される薬草１とから成ることを特徴とする薬効体に係るものである。
【０００８】
また、前記基体８は、綿，布若しくはフェルトであることを特徴とする請求項１記載の薬効体に係るものである。
【０００９】
また、前記薬草１は、薬草１から抽出した薬草エキスであることを特徴とする請求項１，２のいずれか１項に記載の薬効体に係るものである。
【００１０】
また、前記薬草１として、ヨモギを採用したことを特徴とする請求項１〜３のいずれか１項に記載の薬効体に係るものである。
【００１１】
また、敷布団に載置するマットにおいて、薬草１を収容した通気性内袋２の底面若しくは薬草１の薬効成分を有する薬効体９の底面には熱伝導性良好な材料で形成された熱伝導性布３を設け、前記通気性内袋２若しくは薬効体９及び前記熱伝導性布３とを通気性敷設体４に収容し、この通気性敷設体４の底面に熱源となる加熱部５を設けて、前記加熱部５の熱が前記通気性敷設体４を介して前記熱伝導性布３に伝わり、この熱伝導性布３から前記通気性内袋２を介して前記薬草１若しくは前記熱伝導性布３から前記薬効体９に伝わるように構成したことを特徴とする薬草入りマットに係るものである。
【００１２】
また、前記薬効体９は、遠赤外線繊維を用いて成る綿，布若しくはフェルトに前記薬草１から抽出した薬草エキスを付着若しくは含有させて成ることを特徴とする請求項５記載の薬草入りマットに係るものである。
【００１３】
また、前記薬草１としてヨモギを採用したことを特徴とする請求項５，６のいずれか１項に記載の薬草入りマットに係るものである。
【００１４】
また、前記熱伝導性布３は、導線を繊維に縒りあわせる若しくは導線を繊維に巻回することにより成る金属糸を用いることにより形成することを特徴とする請求項５〜７のいずれか１項に記載の薬草入りマットに係るものである。
【００１５】
また、前記通気性敷設体４は、前記通気性内袋２若しくは前記薬効体９及び前記熱伝導性布３を出し入れするための開口部６を設け、且つ前記通気性敷設体４と加熱部５とを着脱自在に構成したことを特徴とする請求項５〜８のいずれか１項に記載の薬草入りマットに係るものである。
【発明の効果】
【００１６】
本発明は上述のように構成したから、遠赤外線繊維の遠赤外線放射作用により薬草に含有される薬効成分を基体の周囲に良好に蒸散させることができる。
【００１７】
これにより、例えば前記基体を人体の近くに配するすることで前記薬草の効能を良好に得ることができる極めて実用性に秀れた薬効体となる。
【００１８】
また、請求項２記載の発明においては、薬草を効率良く綿，布若しくはフェルトに付着若しくは含有させることができ、また、薬草を付着若しくは含有させた前記綿等を用いて前記薬草の薬効を発揮し得る加工製品（例えば布団，マット，衣類，パット，サポーター等）を簡易に形成することができる極めて実用性に秀れた薬効体となる。
【００１９】
また、請求項３記載の発明においては、薬草の薬効成分を綿，布若しくはフェルトに非常に効率良く簡易に付着若しくは含有させることができ、例えば、濃縮した薬草エキスを前記綿等に含浸させることで、綿等によりたりょうの薬効成分を付着若しくは含有させることができ、これにより、極めて実用性に秀れた薬効体となる。
【００２０】
また、請求項４記載の発明においては、疲労回復、血行促進、筋肉のコリや疲れの緩和、神経痛，筋肉痛，腰痛，関節痛の緩和、殺菌，抗菌、炎症抑制、鎮静等ヨモギの有する様々な効能を得ることができる極めて実用性に秀れた薬効体となる。
【００２１】
また、請求項５記載の発明においては、細かく逸散し易い薬草であっても通気性内袋に収容することで取り扱いを容易にすることができる。また、薬草を通気性内袋に収容することで、人と直接接触するマットである通気性敷設体に薬草が直接接触せず、且つ薬草が通気性敷設体の内部に逸散せず、通気性敷設体が薬草で汚れることがない。
【００２２】
また、薬草を収容した通気性内袋に代えて薬草の薬効成分を含有した薬効体を通気性敷設体に収容した場合には、この薬効体には薬草そのものではなく薬効成分が含有されているため、前記と同様、薬草が逸散する等の問題が生じない。
【００２３】
更に、通気性内袋の底面若しくは薬効体の底面に設けた熱伝導性良好な素材で形成された熱伝導性布、及び通気性敷設体の底面に設けた熱源となる加熱部により熱を底面から上部へ良好に伝えることができることとなり、この熱により薬草若しくは薬効体を暖めることができるので、薬草若しくは薬効体から薬効成分が良好に蒸散する。また、このように薬草等から蒸散した薬効成分は、通気性内袋及び通気性敷設体を通過することにより、通気性敷設体の上に横臥する人が効果的に薬効を得ることができる薬草入りマットとなる。
【００２４】
また、請求項６記載の発明においては、薬草の薬効成分を遠赤外線繊維を用いて成る綿，布若しくはフェルトに非常に効率良く簡易に付着若しくは含有させて容易に設計実現可能であり、また、遠赤外線繊維の遠赤外線放射作用により、薬草の薬効成分を一層良好に蒸散して薬草の薬効を一層良好に得ることができる極めて実用性に秀れた薬草入りマットとなる。
【００２５】
また、請求項７記載の発明においては、疲労回復、血行促進、筋肉のコリや疲れの緩和、神経痛，筋肉痛，腰痛，関節痛の緩和、殺菌，抗菌、炎症抑制、鎮静等ヨモギの有する様々な効能を得られる薬草入りマットとなる。
【００２６】
また、請求項８記載の発明においては、例えば熱伝導性の秀れた銅線を用いて形成された熱伝導性布により、薬草への熱の伝わりが一層良好となり、薬効成分が一層良好に蒸散し得る極めて実用性に秀れた薬草入りマットとなる。
【００２７】
また、請求項９記載の発明においては、薬草を収容した通気性内袋を新しく取り替えて永続的に薬草の薬効が得られるとともに、薬草を収容した通気性内袋及び熱伝導布を取り出し、且つ加熱部を取り外して通気性敷設体のみ洗濯することにより、常に清潔に使用し得る薬草入りマットとなる。
【発明を実施するための最良の形態】
【００２８】
好適と考える本発明の実施の形態（発明をどのように実施するか）を、図面に基づいて本発明の作用を示して簡単に説明する。
【００２９】
基体８に付着若しくは含有される薬草は、この基体８を構成する遠赤外線繊維の遠赤外線放射作用により薬効成分が前記基体８の周囲に蒸散されることとなる。
【００３０】
従って、例えば前記薬草１を付着若しくは含有させた基体８を人体に近接させることで、薬草１の効能を良好に得ることができる。
【００３１】
また、例えば、前記基体８として綿，布若しくはフェルトを採用すれば、綿等を形成する繊維若しくは繊維間に、薬草を簡易に付着若しくは含有させることができ、また、薬草を付着若しくは含有させた前記綿等を用いて前記薬草の薬効を発揮し得る加工製品（例えば布団，マット，衣類，パット，サポーター等）を簡易に形成できることとなるなど、一層実用的となる。
【００３２】
また、例えば、前記薬草１を、薬草１から抽出した薬草エキスとすれば、薬草の薬効成分を綿，布若しくはフェルトに非常に効率良く付着若しくは含有させることができ、例えば、濃縮した薬草エキスを前記綿等に含浸させることで、薬草１の薬効成分をより多量に含有させて薬草１の効能をより一層良好に発揮できる薬効体を形成できることとなるなど、一層実用的となる。
【００３３】
また、例えば、前記薬草１としてヨモギを採用すれば、疲労回復、血行促進、筋肉のコリや疲れの緩和、神経痛，筋肉痛，腰痛，関節痛の緩和、殺菌，抗菌、炎症抑制、鎮静等ヨモギの有する様々な効能を得られることとなるなど、一層実用的となる。
【００３４】
また、例えば、敷布団に載置するマットにおいて、薬草１を収容した通気性内袋２の底面若しくは薬草１の薬効成分を有する薬効体９の底面には熱伝導性良好な材料で形成された熱伝導性布３を設け、前記通気性内袋２若しくは薬効体９及び前記熱伝導性布３とを通気性敷設体４に収容し、この通気性敷設体４の底面に熱源となる加熱部５を設けて、前記加熱部５の熱が前記通気性敷設体４を介して前記熱伝導性布３に伝わり、この熱伝導性布３から前記通気性内袋２を介して前記薬草１若しくは前記熱伝導性布３から前記薬効体９に伝わるように構成すれば、熱源となる加熱部５から熱が通気性敷設体４を介して熱伝導性良好な材料で形成された熱伝導性布３に伝わり、前記熱伝導性布３から前記通気性内袋２を介して前記薬草１若しくは前記熱伝導性布３から薬効体９に伝わる。即ち、加熱部５の熱により薬草１若しくは薬効体９が温められることとなり、従って、薬草１の薬効成分が熱により蒸散する。
【００３５】
この際、熱源となる前記加熱部５を通気性敷設体４の底面に設け、熱伝導性良好な材料で形成された前記熱伝導性布３を前記通気性内袋２の底面若しくは前記薬効体９の底面に設けると、熱は通気性敷設体４の下側から熱伝導性布３に伝わり、この熱伝導性布３から前記通気性内袋２の下側を介して該通気性内袋２に収容した薬草１若しくは前記熱伝導性布３から前記薬効体９に加わる。
【００３６】
即ち、熱は前記通気性敷設体４の底面から上方へ徐々に伝えられることとなるので、熱により温められて薬草１若しくは薬効体９から蒸散した薬効成分は上方へ立ちのぼり易くなる。また、このように上方へ立ちのぼった薬効成分は、通気性を有する前記通気性内袋２の上面若しくは薬効体９の上面から通気性を有する前記通気性敷設体４の上面を通過して外部へ蒸散する。従って、この通気性敷設体４の上に横臥する人は、蒸散した薬効成分による薬効を得られることとなる。
【００３７】
即ち、従来のように単にヨモギ等の薬草を布団に封入し、この布団を用いることで薬草の薬効を得ようとしても、薬草には良好に熱が加わらないために薬草の薬効成分が十分に蒸散し得ず、薬効が人体に十分には得られない場合があるが、この点、本発明は、加熱部５の熱が通気性敷設体４を介して、熱伝導性良好な材料で形成された熱伝導性布３に伝わり、この熱伝導性布３によって前記熱が前記通気性内袋２から薬草１若しくは前記薬効体９に良好に伝えられることとなる。従って、熱により薬草１の薬効成分の蒸散が促進されて、人体に効果的に薬草１の薬効が得られる。
【００３８】
また、例えば、前記薬効体９は、遠赤外線繊維を用いて成る綿，布若しくはフェルトに前記薬草１から抽出した薬効エキスを付着若しくは含有させて成る構成とすれば、前記綿，布若しくはフェルトに対して薬草１の薬効成分を非常に効率良く容易に付着若しくは含有させて簡易に形成可能であり、また、遠赤外線繊維の遠赤外線放射作用により、薬草１の薬効成分を一層良好に蒸散して薬草１の薬効を一層良好に得られることとなるなど、一層実用的となる。
【００３９】
また、例えば、前記薬草１としてもヨモギを採用すれば、疲労回復、血行促進、筋肉のコリや疲れの緩和、神経痛，筋肉痛，腰痛，関節痛の緩和、殺菌，抗菌、炎症抑制、鎮静等ヨモギの有する様々な効能を得られる薬草入りマットを形成できることとなるなど、一層実用的となる。
【００４０】
また、例えば、前記熱伝導性布３は、導線を繊維に縒りあわせる若しくは導線を繊維に巻回することにより成る金属糸を用いることにより形成する構成とすれば、導線は熱伝導性が秀れたものであるので、この金属糸を用いた熱伝導性布３は一層熱伝導性に秀れることとなるなど、一層実用的となる。
【００４１】
また、例えば、前記通気性敷設体４は、前記通気性内袋２若しくは前記薬効体９及び前記熱伝導性布３を出し入れするための開口部６を設け、且つ前記通気性敷設体４と加熱部５とを着脱自在に構成すれば、前記通気性内袋２に収容した薬草１若しくは前記薬効体９の薬効成分が全て蒸散して薬効が得られなくなっても、前記薬草１を通気性内袋２ごと若しくは前記薬効体９を新しいものと取り替えることにより再び薬効が得られるとともに、薬草１を収容した通気性内袋２若しくは薬効体９及び熱伝導布３を取り出すと同時に加熱部５を取り外すことで通気性敷設体４のみ洗濯できるため、常に薬草入りマットを清潔使用できることとなるなど、一層実用的となる。
【実施例１】
【００４２】
本発明の具体的な実施例１について図面に基づいて説明する。
【００４３】
実施例１は、敷布団に載置するマットであって、通気性内袋２に薬草１を収容し、前記通気性内袋２の底面には熱伝導性良好な材料で形成された熱伝導性布３を敷設し、前記通気性内袋２及び前記熱伝導性布３とを通気性敷設体４に収容し、前記通気性敷設体４の底面に熱源となる加熱部５を設けて、前記加熱部５の熱が前記通気性敷設体４を介して前記熱伝導性布３に伝わり、該熱伝導性布３から前記通気性内袋２を介して前記薬草１に伝わるように構成した場合である。
【００４４】
以下に各部を説明する。
【００４５】
薬草１は、疲労回復、血行促進、筋肉のコリや疲れの緩和、神経痛，筋肉痛，腰痛，関節痛の緩和、殺菌，抗菌、炎症抑制、鎮静等の様々な効能を有することが古来より漢方及び民間で知られている薬用植物の中から適宜選択可能である。
【００４６】
実施例１は、前記効能を有する薬草１としてヨモギを乾燥させたものを採用している。尚、実施例１では乾燥したヨモギの葉を採用している。
【００４７】
このヨモギ１には、ビタミン，ミネラルをはじめ、シネオール，アルファーツヨシ，セスキテルペン，クロロフィル，タンニンといった体に良い効能を発揮する薬効成分が含有されている。
【００４８】
また、このヨモギ１は通気性内袋２に詰め込み収容されている。
【００４９】
前記通気性内袋２は、通気性であることは勿論、薄くてかさ張らず、耐久性のある素材で形成されるものである。
【００５０】
実施例１は、前記通気性内袋２として和紙若しくは不織布等を袋状としたものを採用し、前記ヨモギ１をこの通気性内袋２に詰め込み収容した後、収容したヨモギ１ごと前記通気性内袋２にキルティング状の縫いを施すことにより、この通気性内袋２に収容したヨモギ１が動いたり、片寄ったりすることを防いでいる。
【００５１】
尚、前記通気性内袋２として、ヨモギ抽出液（ヨモギエキス）で染めた前記和紙若しくは不織布等を採用しても良く、その場合、ヨモギの落ち着いた色とともに、前記通気性内袋２からもヨモギエキスによる薬効を得られることとなる。
【００５２】
熱伝導性布３は、導線を繊維に縒りあわせる若しくは導線を繊維に巻回することにより成る金属糸を用いて形成されるものであり、該布は導線を用いない場合と比較して熱伝導性が高い。また、前記熱伝導性布３は前記通気性内袋２と接する位置に収容し、更に具体的には前記熱伝導布３の上に前記通気性内袋２を載置している。尚、実施例１の熱伝導性布３は洗濯が可能で、洗濯後に熱伝導性が低下することがない。
【００５３】
前記導線として、実施例１は銅製の針金（銅線）を採用し、前記銅線を繊維に縒りあわせる若しくは銅線を繊維に巻回したニット用の糸をニット編み機でループとして網状（メリヤス目若しくはニット平目）に編むことによって、柔らかい布を形成している。
【００５４】
前記導線は銅以外にも熱伝導性に富む金属や熱伝導性に富む素材であれば適宜採用可能である。
【００５５】
また、熱伝導性布３は、前記金属糸に代えて遠赤外線繊維で形成されるものを採用することもできる。遠赤外線繊維で形成された熱伝導性布３を用いた場合には、この遠赤外線繊維の遠赤外線放射作用による温熱性や保温性により、加熱部５で発生する熱をより効率良く薬草１に伝えてこの薬草１の薬効成分を良好に蒸散することができる。
【００５６】
通気性敷設体４は、ヨモギ１を収容する通気性内袋２と、熱伝導性布３とを収容する空隙が設けられた、通気性を有するマット若しくは敷布団である。この通気性敷設体４は、種々の素材により形成可能である。
【００５７】
実施例１の通気性敷設体４は、皮膚を刺激しないのでアトピー性皮膚炎の人に特に適した素材といわれる無農薬栽培で育った綿（オーガニックコットン）を採用し、この綿をマット状若しくは敷布団状に形成し、且つこのマット状若しくは敷布団状のものに前記ヨモギ１を収容する通気性内袋２と前記熱伝導性布３とを着脱自在に収容し得る開口部６を設けたものとしている。
【００５８】
また、前記通気性敷設体４は前記開口部６を自在に開閉し得るファスナーやマジックテープ等の開閉部７を設けることにより、ヨモギ１を収容する通気性内袋２と熱伝導性布３によりなる収容物を確実に収納配設している。
【００５９】
尚、前記綿として、ヨモギエキスで染めたものを採用しても良く、その場合、ヨモギ１の落ち着いた色とともに、前記綿により形成される敷布団からもヨモギエキスによる薬効を得られることとなる。
【００６０】
加熱部５は、前記通気性敷設体４を加熱するための部位である。この加熱部５は通気性敷設体４の底面に設け、通気性敷設体４を下側から加熱している。実施例１の加熱部５は、電気による加熱が行われるように伝熱線を巡らせたカーペット状、敷毛布状のものを採用している。尚、この加熱部５は、その加熱の強弱を自在に調整し得る調整機構を設けた構成としても良い。
【００６１】
実施例１は、上述のように構成したから以下の作用効果を奏する。
【００６２】
通気性敷設体４の底面に設けた加熱部５により通気性敷設体４の下側が温まるとともに、この熱が前記通気性敷設体４に収容された熱伝導性の良好な熱伝導布３に伝わり、更に、前記熱伝導布３の上に前記通気性内袋２が載置するように収容されているので、該熱伝導布３に接する通気性内袋２にもこの熱が伝導され、この通気性内袋２に詰め込まれたヨモギ１に熱が伝わることとなる。
【００６３】
従って、熱によりヨモギ１が温められ、温められたヨモギ１から薬効成分が蒸散する。
【００６４】
また、このようにして蒸散した薬効成分は、通気性を有する通気性内袋２及び通気性敷設体４を通過し、該通気性敷設体４の上の人に届くこととなる。
【００６５】
従って、人はヨモギ１の薬効成分と接触し、疲労回復、血行促進、筋肉のコリや疲れの緩和、神経痛，筋肉痛，腰痛，関節痛の緩和、殺菌，抗菌、炎症抑制、鎮静等の様々な効能を得ることができる。
【００６６】
即ち、ヨモギ１から多くの薬効成分が蒸散し、人体にヨモギ１の薬効成分が多く接触する程、人はヨモギ１の効能を多く得ることができるが、例えば従来のように加熱部５を設けないヨモギ１入り布団の場合、熱がヨモギ１に伝わりにくく、よって、ヨモギ１から多くの薬効成分が蒸散しにくいため、人はヨモギ１の薬効成分と十分に接触できず、そのため余り多くの効能を得ることができなかったのに対し、実施例１では、加熱部５による加熱を行う上に更にこの加熱した熱を良好に伝え得る熱伝導布３を設けた構成としたことにより、ヨモギ１が熱により効果的に温められることとなって、ヨモギ１からの薬効成分の蒸散を促進することができる。更に、前記薬効成分は通気性内袋２及び通気性敷設体４を容易に通過して人体に届くので、人はそれだけ効果的に薬効成分による効能を得ることができる。
【００６７】
また、熱が前記通気性敷設体４の底面から上方へ徐々に伝わるため、ヨモギ１から蒸散した薬効成分が上方へ立ちのぼり易くなり、前記通気性敷設体４の上の人に効果的にヨモギ１の薬効が得られることとなる。
【００６８】
更に、乾燥させたヨモギ１は水分を吸収するので、実施例１の薬草入りマットを人が使用した場合に加わる湿気（水分）がある程度ヨモギ１に吸収されることとなり、マット内部の湿度環境を良好に保持できる。更に、このようにヨモギ１に吸収された水分は、上述したヨモギ１から薬効成分が蒸散する際の媒体ともなり得る。
【００６９】
尚、加熱部５にその加熱の強弱を調整する調整機構を設けた場合、ヨモギ１の温め方をこの調整機構により自在に調整し、ヨモギ１から薬効成分の蒸散量を適宜調整することができる。
【００７０】
また、例えば従来のようにヨモギを布団に封入する場合、この布団が汚れても、洗濯することでヨモギに濡れが生じるため、布団を洗うことは困難となっていたが、実施例１においては、ヨモギ１を詰め込んだ通気性内袋２を前記通気性敷設体４から取り出すことにより、この通気性敷設体４を洗濯することが可能となるため、常に前記通気性敷設体４を清潔に保つことができる。更に、例えば従来のようにヨモギを布団に封入する場合、封入していたヨモギの効果が薄れても取り替えることが困難であったのに対して、実施例１においては、数カ月若しくは数年の使用を経てヨモギ１の薬効が薄れたと感じた場合に、詰め替え用として新しいヨモギ１が詰め込まれた通気性内袋２を新たに購入することによりいつでもヨモギ１の効能が十分に得られるものとできる。
【００７１】
尚、使い古しのヨモギが詰め込まれた通気性内袋２は、可燃物として燃やすことができ且つ和紙やヨモギにより成るものであるので燃やしても無害なことは勿論である。
【実施例２】
【００７２】
実施例２は、実施例１における薬草１を収納した通気性内袋２に代えて、薬草１の有効成分を有する薬効体９を通気性敷設体４内に収納した薬草入りマットに関するものである。尚、実施例２においても、薬草１としてヨモギ１を採用している。
【００７３】
薬効体９は、遠赤外線を放射する性質を有する遠赤外線繊維を用いて成る綿，布若しくはフェルトに前記ヨモギ１から抽出したヨモギエキスを付着若しくは含有させて形成している。
【００７４】
具体的には、遠赤外線繊維を用いて成る綿にヨモギエキスを浸漬し、所定の乾燥機を用いて乾燥させ、この乾燥させた前記綿をキルティングすることで前記薬効体９を形成している。
【００７５】
更に具体的には、遠赤外線繊維を用いて成る綿として、株式会社ファーベスト社製の光電子繊維を採用している。尚、前記光繊維以外でも、実施例２における作用効果を発揮し得るものであれば適宜採用しても良い。
【００７６】
ヨモギエキスは、ハイドロディフュージュン法と呼ばれる水蒸気蒸留方法により得る。
【００７７】
この水蒸気蒸留方法について説明すると、植物原料（ヨモギ１）を通気可能な例えば網棚の上に載置し、上方から下方に向けてスチームを吹きかけることで、ヨモギ１に含まれる種々の成分を抽出するものである。
【００７８】
具体的には、このスチームは、水を加熱することで発生する湯気を加圧し、再度加熱することで得られる粒子が非常に細かい状態（ナノレベルの微粒子スチーム）となったもので、このスチームをヨモギ１に向けて吹きかけることで、ヨモギ１の細胞壁が熱と蒸気によって破壊され、これにより、この細胞壁内に存在する種々の成分がスチームの中に取り込まれる。そして、この種々の成分が含有されたスチームを、冷却水の中を通るパイプの中に通し、これにより、前記スチームを冷却させることでヨモギエキスを得る。このヨモギエキスは、精油と水の混合物であり比重が異なるため二層に分離するが、この上層の部分が精油であり下層の部分が芳香蒸留水（フローラルウォーター）となる。
【００７９】
尚、前記蒸留方法により得られたヨモギエキスを濃縮するなどして、より高い濃度として前記綿を浸漬することで、ヨモギ１の薬効成分を非常に多量に含有する薬効体を形成しても良い。
【００８０】
実施例２は上述のように構成したから、以下の作用効果を奏する。
【００８１】
実施例２は、ヨモギエキスに前記綿を浸漬することで、この綿にヨモギの薬効成分を多量に含有させることができ、これにより、ヨモギ１の秀れた効能を長期間に亙って良好に得ることができる。
【００８２】
その上、前記綿の遠赤外線放射作用により、綿に含有されたヨモギの薬効成分をより多量に蒸散することができ、これにより、ヨモギの秀れた効能を一層良好に得ることができる。
【００８３】
また、遠赤外線は、保温作用，発汗作用，エネルギー循環作用，血行促進作用及び保湿作用など人体に対して良好な作用を有し、これにより、ヨモギの薬効成分による薬効作用と遠赤外線の種々の作用とが相俟って秀れたヨモギの効能をより一層良好に発揮することができる。
【００８４】
また、ヨモギエキスは前述のハイドロディフュージュン法によって短時間で高濃度で得られ、その上、前記綿をヨモギエキスに浸漬させるだけで薬効体９を形成できるため、秀れたヨモギ１の効能を発揮し得る薬効体９を簡易に実現することができる。
【００８５】
また、実施例２では、ヨモギ１の薬効成分を非常に良好に周囲に蒸散せしめる薬効体９を実施例１と同様、加熱部５により通気性敷設体４及び熱伝導性布３を介して加熱できることで、前記薬効成分の蒸散量を更に多量とすることができ、これにより更に一層良好なヨモギの効能を得ることができる。遠赤外線繊維を用いた実施例２の場合では、加熱部５の熱を弱く設定するか若しくは発熱させない場合においても、遠赤外線の作用によって薬草１の薬効成分を良好に蒸散し得る。
【００８６】
即ち、この場合には、遠赤外線を用いて成る綿が人体の熱を吸収することでこの熱を遠赤外線に変換し、この変換された遠赤外線が外部へ放射されることとなる。そして、この放射された遠赤外線を人体が吸収することで人体内の水分子の活動が活発となり熱に変換され、この一連の作用の中で薬草１の薬効成分が蒸散される。
【００８７】
尚、実施例２においては、遠赤外線を用いて成る綿にヨモギエキスを浸漬させて形成される薬効体９を敷布団に載置されるマットの構成部材として使用したが、ヨモギエキスを浸漬した前記綿を使用して種々の加工製品、例えば腰用パットや膝サポーター、衣類等を形成しても良い。
【００８８】
尚、本発明は、実施例１，２に限られるものではなく、各構成要件の具体的構成は適宜設計し得るものである。
【図面の簡単な説明】
【００８９】
【図１】実施例１の断面図である。
【図２】実施例１の使用状態の説明図である。
【図３】実施例１の説明図である。
【図４】実施例２の説明図である。
【符号の説明】
【００９０】
１  薬草
２  通気性内袋
３  熱伝導性布
４  通気性敷設体
５  加熱部
６  開口部
８  基体
９  薬効体
【図１】
2005230517.tif 000003
【図２】
2005230517.tif 000004
【図３】
2005230517.tif 000005
【図４】
2005230517.tif 000006